【手続補正書】
【提出日】平成28年9月16日(2016.9.16)
【手続補正１】
【補正対象書類名】特許請求の範囲
【補正対象項目名】全文
【補正方法】変更
【補正の内容】
【特許請求の範囲】
【請求項１】
複数の表示装置と、これら複数の表示装置に対応する複数の端末装置、及び操作手段を有する操作装置とからなる表示システムであって、
前記操作装置は、
前記表示装置による表示に基づき、当該表示装置と対応する端末装置を特定する特定手段と、
この特定手段により特定された端末装置に前記操作手段の操作に応じた要求信号を送信する送信手段とを備え、
前記端末装置は、
前記操作装置の送信手段から送信される要求信号を受信する受信手段と、
この受信手段により受信した要求信号に応じた制御を行う制御手段と、
を備えることを特徴とする表示システム。
【請求項２】
前記操作装置は、いずれかの表示装置と端末装置とを予め対応付ける対応付け手段を備えることを特徴とする請求項１記載の表示システム。
【請求項３】
前記対応付け手段は、前記端末装置からの要求に応じていずれかの表示装置を対応付けることを特徴とする請求項２記載の表示システム。
【請求項４】
前記対応付け手段は、前記端末装置と表示装置とを対応付けて記憶する記憶手段であることを特徴とする請求項２又は３記載の表示システム。
【請求項５】
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１から４にいずれか記載の表示システム。
【請求項６】
前記検出手段は、前記表示装置により画像が表示される表示面上におけるフリッカーにより前記周波数を検出することを特徴とする請求項５記載の表示システム。
【請求項７】
前記検出手段は、前記表示面を撮像する撮像手段であることを特徴とする請求項６記載の表示システム。
【請求項８】
前記端末装置の制御手段は、前記対応する表示装置が備える光源が動作する周波数を設定する設定手段を備えることを特徴とする請求項５、６又は７記載の表示システム。
【請求項９】
前記端末装置は、画像を表示する画面を備え
前記表示装置は、対応する端末装置から前記画面に表示される画像を取得して所定の表示面上に表示することを特徴とする請求項１から８にいずれか記載の表示システム。
【請求項１０】
複数の表示装置と、これら複数の表示装置に対応する複数の端末装置、及び操作装置とからなり、前記端末装置は、前記操作装置の送信手段から送信される要求信号を受信する受信手段と、この受信手段により受信した要求信号に応じて前記対応する表示装置を制御する制御手段とを備える表示システムにおける前記操作装置であって、
操作手段と、
前記表示装置による表示に基づき、当該表示装置と対応する端末装置を特定する特定手段と、
この特定手段により特定された端末装置に前記操作手段の操作に応じた要求信号を送信する送信手段と、
を備えることを特徴とする操作装置。
【請求項１１】
いずれかの表示装置と端末装置とを予め対応付ける対応付け手段を備えることを特徴とする請求項１０記載の操作装置。
【請求項１２】
前記対応付け手段は、前記端末装置からの要求に応じていずれかの表示装置を対応付けることを特徴とする請求項１１記載の操作装置。
【請求項１３】
前記対応付け手段は、前記端末装置と表示装置とを対応付けて記憶する記憶手段であることを特徴とする請求項１１又は１２記載の操作装置。
【請求項１４】
前記表示装置は、各々異なる周波数で発光し画像を表示する光源を備え、
前記操作装置は、前記表示装置により表示された画像に基づき前記光源の周波数を検出する検出手段を備え、
前記特定手段は、前記検出手段により検出された前記光源の周波数に基づき、前記表示装置に対応する端末装置を特定することを特徴とする請求項１０から１３にいずれか記載の操作装置。
【請求項１５】
前記検出手段は、前記表示装置により画像が表示される表示面上におけるフリッカーにより前記周波数を検出することを特徴とする請求項１４記載の操作装置。
【請求項１６】
前記検出手段は、前記表示面を撮像する撮像手段であることを特徴とする請求項１５記載の操作装置。
【手続補正２】
【補正対象書類名】明細書
【補正対象項目名】発明の名称
【補正方法】変更
【補正の内容】
【発明の名称】表示システム及び操作装置
【手続補正３】
【補正対象書類名】明細書
【補正対象項目名】０００１
【補正方法】変更
【補正の内容】
【０００１】
本発明は、表示システム及びこの表示システムに用いられプレゼンテーション等を行う説明者により操作される操作装置に関する。
【手続補正４】
【補正対象書類名】明細書
【補正対象項目名】０００７
【補正方法】変更
【補正の内容】
【０００７】
本発明は、かかる従来の課題に鑑みてなされたものであり、複数の投影装置を用いて投影を行う投影システムにおいて、ユーザが端末装置を動作させて投影装置を制御する際の操作性を向上させる表示システム及び操作装置を提供することを目的とする。
【手続補正５】
【補正対象書類名】明細書
【補正対象項目名】０００８
【補正方法】変更
【補正の内容】
【０００８】
前記課題を解決するため発明に係る表示システムは、複数の表示装置と、これら複数の表示装置に対応する複数の端末装置、及び操作手段を有する操作装置とからなる表示システムであって、前記操作装置は、前記表示装置による表示に基づき、当該表示装置と対応する端末装置を特定する特定手段と、この特定手段により特定された端末装置に前記操作手段の操作に応じた要求信号を送信する送信手段とを備え、前記端末装置は、前記操作装置の送信手段から送信される要求信号を受信する受信手段と、この受信手段により受信した要求信号に応じた制御を行う制御手段とを備えることを特徴とする。
【手続補正６】
【補正対象書類名】明細書
【補正対象項目名】００１２
【補正方法】変更
【補正の内容】
【００１２】
以下、本発明の一実施の形態を図に従って説明する。図１は、本発明の一実施の形態に係るプレゼンテーションシステムの全体構成を示すブロック図である。このプレゼンテーションシステムは、会場内に配置された複数のプロジェクタＰＪＡ、ＰＪＢ、ＰＪＣ、ＰＪＣ（なお、これら複数のプロジェクタを総称する場合プロジェクタＰＪと表記する）、これら各プロジェクタＰＪに各々ＵＳＢケーブル１００を介して接続された複数のパソコンＰＣＡ、ＰＣＢ、ＰＣＣ（なお、これら複数のパソコンを総称する場合パソコンＰＣと表記する）、及びこれら複数のパソコンＰＣに、例えばブルーツゥース（Bluetooth：登録商標）のような近接無線で接続された単一のポインタＰＴで構成されている。なお、パソコンＰＣＡとＰＣＢは、対応する１台のプロジェクタＰＪＡ、ＰＪＢに接続されているが、パソコンＰＣＣは２台のプロジェクタＰＪＣとＰＪＤに接続されている。また、各プロジェクタＰＪの前方には、各々対応するスクリーンＳＡ〜ＳＣが配置されている。
【手続補正７】
【補正対象書類名】明細書
【補正対象項目名】００３５
【補正方法】変更
【補正の内容】
【００３５】
すると、これを受信したポインタＰＴは、次のステップＳ１０４で以下の（１）（２）（３）の処理を実行する。
（１）この時点でコネクションリスト記憶部８８のコネクションリストに未だ記憶されていないチャンネル（水銀ランプ２０に設定する周波数）を指定する。
（２）この指定した周波数と、これが設定されるプロジェクタを示すＰＪ名（ＰＪＡ〜ＰＪＤのいずれか）と、これらＰＪＡ〜ＰＪＤを制御するパソコンを示すＰＣ名（ＰＣＡ〜ＰＣＤのいずれか）とをコネクションリストに記憶する。
（３）コネクションリストに記憶したパソコンＰＣに、前記指定した周波数と、プロジェクタを示すＰＪ名を送信する。
【手続補正８】
【補正対象書類名】明細書
【補正対象項目名】００４９
【補正方法】変更
【補正の内容】
【００４９】
このため、説明の複雑化に伴って複数のパソコン、プロジェクタ、スクリーンを用いて多面的な説明を伴うプレゼンテーションを行う必要があっても、多面的な説明を伴うプレゼンテーション円滑に推進することが可能となる。
また、本実施の形態においては、撮像部８７により撮像によりフリッカーを検出するようにしたことから、撮像という簡単な処理内容で複数種のフリッカーを確実に検出することができる。